(57)【特許請求の範囲】
【請求項１】
包装材料のウェブ（３）の孔（２）に少なくとも一つの事前形成された開封デバイス（４）を取り付けるためのユニット（１）であって、
経路（Ｐ）に沿って前記ウェブ（３）を前進させるための前進手段（１０）と、
少なくとも一つの取り付けステーション（１５）であって、使用時に、前記事前形成された開封デバイス（４）が供給され、かつ、使用時に、前記ウェブ（３）の前記孔（２）に前記事前形成された開封デバイス（４）を封着する、少なくとも一つの取り付けステーション（１５）と、
を備え、
前記取り付けステーション（１５）は、
包装材料の前記ウェブ（３）に対する前記事前形成された開封デバイス（４）の封着を生じさせるように作動可能なソノトロード（８１）と、
前記ウェブ（３）に対する前記事前形成された開封デバイス（４）の封着の間、前記ウェブ（３）に関して前記ソノトロード（８１）の反対側において、前記事前形成された開封デバイス（４）と協働するよう構成されたアンビル（８２）と
を備え、
前記ソノトロード（８１）は、第１の方向（Ｚ）に沿って、
それが前記ウェブ（３）から離間させられた第１の休止ポジションと、
それが前記孔（２）において前記ウェブ（３）の第１の面（３ｂ）と協働し、かつ、それが前記事前形成された開封デバイス（４）の封着を生じさせるように作動させられる第１の動作ポジションと、の間で動作可能であり、
前記アンビル（８２）は、前記第１の方向（Ｚ）と交差する第２の方向（Ｙ）に沿って、
それが前記ウェブ（３）から離間させられた第２の休止ポジションと、
それが前記孔（２）において前記ウェブ（３）の、前記第１の面（３ｂ）と反対の第２の面（３ａ）に対して対向圧力を加える第２の動作ポジションと、の間で動作可能であり、
前記ソノトロード（８１）および前記アンビル（８２）は、前記事前形成された開封デバイス（４）を前記ウェブ（３）に封着するように、前記第１の動作ポジション及び前記第２の動作ポジションに配置される、ユニット。
【請求項２】
前記第１の方向（Ｚ）および前記第２の方向（Ｙ）は、互いに、かつ、前記経路（Ｐ）に対して直交することを特徴とする請求項１に記載のユニット。
【請求項３】
前記アンビル（８２）は、前記第２の動作ポジションに配置されたとき、使用時に、前記事前形成されたデバイス（４）のフランジ（５）と協働し、かつ、前記ソノトロード（８１）は、前記ソノトロード（８１）がそれぞれの前記動作ポジションにあるとき、前記事前形成された開封デバイス（４）のネック部分（６）を使用時に受けるための端部キャビティ（９０）を備え、
前記ネック部分（６）は、前記フランジ（５）から突出し、かつ、使用時に、前記ウェブ（３）の前記孔（２）を通過し、
前記キャビティ（９０）は前記ウェブ（３）に向かって開口し、かつ、開口（８８）によって境界が画定されることを特徴とする請求項１または２に記載のユニット。
【請求項４】
前記ソノトロード（８１）は、前記キャビティ（９０）内に部分的に突出すると共に前記キャビティ（９０）の第２の軸線（Ｂ）に関して前記事前形成された開封デバイス（４）の第１の軸線（Ａ）を心合わせするように前記事前形成された開封デバイス（４）の前記ネック部分（６）と協働するよう構成されたエラストマー材料のリング（９１）を備えることを特徴とする請求項３に記載のユニット。
【請求項５】
前記リング（９１）は、前記第２の軸線（Ｂ）の側に、前記開口（８８）の反対側において先細になると共に前記事前形成された開封デバイス（４）と接触するよう構成された壁（９２）を備えることを特徴とする請求項４に記載のユニット。
【請求項６】
前記ソノトロード（８１）は、前記ウェブ（３）に対して前記事前形成された開封デバイス（４）を封着するために前記ウェブ（３）と協働するよう構成されたシーリング面（８９）を備え、
前記シーリング面（８９）は、前記キャビティ（９０）の反対側に、前記ソノトロード（８１）が前記動作ポジションにあるとき、前記孔（２）を取り囲む領域において、前記ウェブ（３）に圧力を加えるよう構成された環状突起（９６）を備えることを特徴とする請求項３〜５のいずれか一項に記載のユニット。
【請求項７】
前記開封デバイス（４）を前記取り付けステーション（１５）に供給するための出口（４８）を備えた供給デバイス（２５）と、
少なくとも一つの位置決めデバイス（５０）であって、それが前記供給デバイス（２５）から前記事前形成された開封デバイス（４）を取り出す取り出しポジションと、それが前記孔(２)と整列させられた位置決めポジションとの間で動作可能な少なくとも一つの位置決めデバイス（５０）と
を備えることを特徴とする請求項１〜６のいずれか一項に記載のユニット。
【請求項８】
前記位置決めデバイス（５０）は、
前記経路（Ｐ）と平行な第３の軸線（Ｆ）を中心として回転することができるハウジング（５１）と、
前記事前形成された開封デバイス（４）を把持するよう構成され、かつ、前記第３の軸線（Ｆ）と交差する第４の軸線（Ｅ）に沿って前記ハウジング（５１）に対して移動可能な把持デバイス（５２，５４）と、
を具備し、
前記ハウジング（５１）は、前記位置決めデバイス（５０）が前記取り出しポジションにあるとき、前記第２の方向（Ｙ）と平行に配置され、
前記ハウジング（５１）は、前記位置決めデバイス（５０）が前記位置決めポジションにあるとき、前記第１の方向（Ｚ）と平行に配置され、
前記把持デバイス（５２，５４）は、前記位置決めデバイス（５０）が、前記供給デバイス（２５）の前記出口（４８）から前記開封デバイス（４）を取り出すために前記取り出しポジションにあるとき、前記ハウジング（５１）に対してかつ前記第４の軸線（Ｅ）に沿って移動可能であり、
前記把持デバイス（５２，５４）は、前記位置決めデバイス（５０）が、前記ウェブ(３)の前記孔（２）内に前記開封デバイス（４）を挿入するように前記位置決めポジションにあるとき、前記ハウジング（５１）に対してかつ前記第４の軸線（Ｅ）に沿って移動可能であることを特徴とする請求項７に記載のユニット。
【請求項９】
前記ユニット（１）の前記アンビル（８２）および固定部（８０）は、前記位置決めデバイス（５０）が使用時に前記位置決めポジションにあり、かつ、前記アンビル（８２）が使用時に前記休止ポジションにあるとき、前記位置決めデバイス（５０）の前記把持デバイス（５２，５４）のための通路（７９）を画定し、
前記アンビル（８２）は、使用時に、前記動作ポジションにセットされたとき、前記通路（７９）を閉鎖し、
前記アンビル（８２）および前記位置決めデバイス（５０）は、前記アンビル（８２）が前記休止ポジションにあるとき、前記位置決めデバイス（５０）が、使用時に、前記位置決めポジションにあり、かつ、前記把持デバイス（５２，５４）が、使用時に、前記通路（７９）を通って前記開封デバイス（４）を前記孔（２）内に挿入するように、後退ポジションから完全突出ポジションへと移動させられるように同期させられることを特徴とする請求項８に記載のユニット。
【請求項１０】
前記供給デバイス（２５）は、前記出口（４８）の反対側に配置されると共に使用時に前記事前形成された開封デバイス（４）を前記位置決めデバイス（５０）に向かって押しやるよう構成された排出デバイス（３０）を備え、
前記排出デバイス（３０）と前記位置決めデバイス（５０）とは、前記排出デバイス(３０)が、使用時に、前記事前形成された開封デバイス（４）を押しやるとき、前記位置決めデバイス（５０）は前記取り出しポジションにあり、かつ、前記把持デバイス（５２，５４）は、使用時に、部分的突出ポジションから前記後退ポジションへと移動するように同期させられることを特徴とする請求項９に記載のユニット。
【請求項１１】
前記前進手段（１０）は、使用時に、前記経路（Ｐ）に沿って前記ウェブ（３）を段階的に前進させるように制御され、
前記前進手段（１０）は、前記取り付け手段（１５）が前記事前形成された開封デバイス（４）を取り付けるときに前記ウェブ(３)を停止させ、かつ、前記事前形成された開封デバイス（４）の取り付けの前後に前記ウェブ（３）を前進させるよう構成されることを特徴とする請求項１〜１０のいずれか一項に記載のユニット。
【請求項１２】
包装材料のウェブ（３）の孔（２）に少なくとも一つの事前形成された開封デバイス（４）を取り付けるための方法であって、
ｉ）経路（Ｐ）に沿って前記ウェブ（３）を前進させるステップと、
ｉｉ）前記孔（２）において前記ウェブ（３）上に前記事前形成された開封デバイス（４）を封着するステップと、
を備え、
前記ステップｉｉ）は、前記ウェブ（３）上に前記事前形成された開封デバイス（４）を超音波で封着するステップｉｉｉ）を備え、
前記ステップｉｉ）は、
ｉｖ）ソノトロード（８１）を、第１の方向（Ｚ）に沿って、かつ、それが前記ウェブ（３）から離間させられた第１の休止ポジションと、それが前記ウェブ（３）の第１の面（３ａ）と協働すると共に前記ウェブ（３）に対して前記事前形成された開封デバイス（４）を封着するように作動させられる第１の動作ポジションとの間で動作させるステップと、
ｖ）アンビル（８２）を、前記第１の方向（Ｚ）と交差する第２の方向（Ｙ）に沿って、かつ、それが前記ウェブ（３）から離間させられた第２の休止ポジションと、それが前記孔（３）において前記ウェブ（３）の、第１の面（３ａ）と反対の第２の面（３ｂ）に対して対向圧力を加える第２の動作ポジションとの間で動作させるステップと、
を備える、方法。
【請求項１３】
前記ソノトロード（８１）および前記アンビル（８２）は、前記第１の動作ポジションおよび前記第２の動作ポジションに同時に到達することを特徴とする請求項１２に記載の方法。
【請求項１４】
ｖｉ）前記事前形成された開封デバイス（４）を供給デバイス（２５）の出口（４８）へと供給するステップと、
ｖｉｉ）前記事前形成された開封デバイス（４）を前記出口（４８）から取り出すステップと、
ｖｉｉｉ）前記ソノトロード（８１）および前記アンビル（８２）がそれぞれ前記第１の休止ポジションおよび第２の休止ポジションにあるとき、前記事前形成された開封デバイス（４）を前記ウェブ（３）の前記孔（２）内で位置決めするステップと、
を備え、
前記ステップｖｉｉ）およびｖｉｉｉ）は同じ位置決めデバイス（５０）によって実施されることを特徴とする請求項１２または１３に記載の方法。
【発明の詳細な説明】
【技術分野】
【０００１】
本発明は、事前形成された開封デバイスを包装材料のウェブに取り付けるためのユニットに関する。
【０００２】
本発明はまた、事前形成された開封デバイスを包装材料のウェブ上に取り付けるための方法に関する。
【背景技術】
【０００３】
よく知られているように、フルーツジュース、ＵＨＴ（超高温処理）ミルク、ワイン、トマトソース等の多くの流動性食品は殺菌された包装材料で作られたパッケージに収容されて販売されている。
【０００４】
このタイプのパッケージの典型的な例は、積層ストリップ包装材料を折り曲げ、シールすることによって作られた、Tetra Brick Aseptic（登録商標）として知られる液状または流動性食品用の平行六面体形状のパッケージである。
【０００５】
包装材料は、繊維材料、例えば紙またはミネラル充填ポリプロピレン材料の層からなっていてもよい剛性および強度のためのベース層、およびベース層の両面を覆う、ヒートシールプラスチック材料、例えばポリエチレンフィルムの多数のラミネーション層を実質的に含む多層構造を有する。
【０００６】
ＵＨＴミルクのような長期間貯蔵製品用の無菌包装の場合、包装材料はまた、ガスバリア材料の層、例えばアルミニウム箔またはエチルビニルアルコール（ＥＶＯＨ）フィルムを含むが、これはヒートシールプラスチック材料の層に重ね合わせられ、そして、今度は、最終的に食品と接するパッケージの内面を形成するヒートシールプラスチック材料の別の層によって覆われる。
【０００７】
この種のパッケージは、通常、完全自動包装機械で製造されるが、この機械では、連続チューブがウェブ供給包装材料から形成される。包装材料のウェブは、包装機械において、例えば過酸化水素溶液のような化学殺菌剤を使用することによって殺菌されるが、当該殺菌剤は、いったん殺菌が完了すると、包装材料の表面から除去され、例えば加熱により蒸発させられる。このようにして殺菌された包装材料のウェブは密閉された滅菌環境内に維持され、垂直チューブを形成するように長手方向に折り曲げられ、シールされる。
【０００８】
チューブには、殺菌されるかまたは滅菌処理された食品が充填され、シールされ、続いてピローパックを形成するように等しく離間された断面に沿って切断されるが、それは、その後、それぞれの完成した、例えば実質的に平行六面体形状のパッケージを形成するように機械的に折り曲げ加工される。
【０００９】
より正確には、ウェブには包装材料工場内で複数の孔が設けられ、次いで包装機械に供給される。
【００１０】
次いでウェブは包装機械内のリールから巻き戻される。
【００１１】
続いて、ウェブは、その上に開封デバイスを取り付けるためのユニットに段階的に供給される。
【００１２】
本願出願人名義の特許文献１は、開孔デバイスをそれぞれの孔、特に予め積層された孔に取り付けるためのデバイスを開示しているが、これは、実質的に、
・ウェブを第１の方向に沿って段階的に前進させる前進手段と、
・ウェブ上に、そしてウェブのそれぞれの予め積層された孔に対応して複数の開封デバイスを射出成形する成形ステーションと
を備える。
【００１３】
特に、成形ステーションは、複数の第１の型および第２の型を含む。
【００１４】
第１の型はウェブの第１の側に配置され、一方、第２の型は、ウェブの第１の側とは反対の第２の側に配置される。
【００１５】
第１の型および対応する第２の型の各対は、
・それらがウェブから離間させられ、したがってウェブと干渉しない開形態と、
・それらがウェブのそれぞれの第１および第２の側と協働し、それぞれの開封デバイスを成形するために、その中に成形材料が射出される閉鎖成形キャビティを形成する閉形態と
の間で動作可能である。
【００１６】
さらに正確には、第１の型および対応する第２の型が開形態であるときウェブは前進する。
【００１７】
ウェブが停止するとき、第１の型と対応する第２の型の各対はウェブのそれぞれの孔と整列させられる。
【００１８】
この段階で、第１の型および第２の型の各対は開形態から閉形態へと移動し、そして成形材料が成形キャビティ内に射出され、凝固して開封デバイスが成形される。
【００１９】
成形材料が固化するのに要する時間は、孔が閉形態に設定されたそれぞれの第１および第２の型と整列させられた状態で包装材料のウェブが停止する時間を決定する。
【００２０】
その結果、成形材料が凝固するのに要する時間が包装機械全体の生産速度を決定する。
【００２１】
包装機械の生産速度を相応に増大させるために、開封デバイスの取り付け中にウェブが停止する時間を可能な限り減少させる必要性が業界内で認識されている。
【先行技術文献】
【特許文献】
【００２２】
【特許文献１】欧州特許出願公開第２３５７１３８号明細書
【発明の概要】
【発明が解決しようとする課題】
【００２３】
本発明の目的は、上記の要件の少なくとも一つを満たすように設計された、少なくとも一つの事前形成された開封デバイスを包装材料のウェブの孔に取り付けるためのユニットを提供することである。
【課題を解決するための手段】
【００２４】
本発明によれば、請求項１に記載された、上記の要件の少なくとも一つを満たすように設計された、少なくとも一つの事前形成された開封デバイスを包装材料のウェブの孔に取り付けるためのユニットが提供される。
【００２５】
本発明はまた、請求項１５に記載された、包装材料のウェブの孔に少なくとも一つの事前形成された開封デバイスを取り付けるための方法に関する。
【００２６】
本発明の好ましい非限定的な実施形態を添付の図面を参照して例として説明する。
【図面の簡単な説明】
【００２７】
【図１】本発明に係る、包装材料のウェブの孔に事前形成された開封デバイスを取り付けるためのユニットの斜視図である。
【図２】図１のユニットのステーションの斜視図であり、分かりやすくするために部品が取り除かれている。
【図３】図２の線III‐IIIに沿って取った断面図である。
【図４】図２のステーションユニットの後続の動作ステップを図３と同じ断面で示す図である。
【図５】図２のステーションユニットの後続の動作ステップを図３と同じ断面で示す図である。
【図６】図２のステーションユニットの後続の動作ステップを図３と同じ断面で示す図である。
【図７】図２のステーションユニットの後続の動作ステップを図３と同じ断面で示す図である。
【図８】図２のステーションユニットの後続の動作ステップを図３と同じ断面で示す図である。
【図９】図２のステーションユニットの後続の動作ステップを図３と同じ断面で示す図である。
【図１０】図３ないし図９のステーションユニットのソノトロードの拡大した部分断面図である。
【図１１】図１０のソノトロードのさらに拡大した部分断面図であり、分かりやすくするために部品が取り除かれている。
【図１２】図１０および図１１のソノトロードのいくつかのコンポーネントを示す図であり、分かりやすくするために部分が取り除かれている。
【図１３】図１２のコンポーネントをさらに拡大して示す図である。
【図１４】図１のユニットのさらなるコンポーネントを示す図である。
【図１５】図１のユニットのさらなるコンポーネントを示す図である。
【発明を実施するための形態】
【００２８】
図１の参照数字１は、全体として、包装材料のウェブ３の各孔２に、複数の事前形成された開封デバイス４を取り付けるためのユニットを示している。
【００２９】
事前形成された開封デバイス４は、図示していないステーションにおいてユニット１の上流で、そしてウェブ３へのその取り付け前に形成されることを指摘することが重要である。
【００３０】
図示の実施形態では、孔２は貫通している。
【００３１】
図示の実施形態では、孔２は円形であり、Ｘ方向に沿って整列させられ、等間隔で配置されている。
【００３２】
ウェブ３はヒートシールシート材料からなり、これは、ヒートシールプラスチック材料、例えばポリエチレンの層で両側が覆われた紙材料の層を含む。ＵＨＴミルクのような長期間貯蔵製品用の無菌包装の場合、包装材料は酸素バリア材料、例えばアルミニウム箔の層を含むが、これは、最終的に食品と接触するパッケージの内面を形成するヒートシールプラスチック材料の一つ以上の層に重ね合わせられる。
【００３３】
包装材料は、好ましくは低温殺菌またはＵＨＴミルク、フルーツジュース、ワイン等の流動性食品を収容する複数のパッケージを形成することを意図されている。
【００３４】
パッケージはまた、パッケージを製造する際に包装材料のチューブ内に注入可能であって、パッケージが密封された後に固まる食品を収容してもよい。そのような食品の一例は、パッケージを製造する際に溶融させられ、そしてパッケージが密封された後に固まるチーズの一部である。
【００３５】
チューブは、ウェブ３を長手方向に折り曲げてシールすることによって、ユニット１の下流において公知の方法で形成される。
【００３６】
次いで包装材料のチューブには包装のために食品が充填され、多数のピローパック（図示せず）を形成するために等しく離間された断面に沿ってシールされ、切断されるが、これは、続いて、それらがそれぞれのパッケージを形成するように機械的に折り曲げ加工される折り曲げ加工ユニットへと移送される。
【００３７】
図示の実施形態では、事前形成された開封デバイス４（図１０および図１１）は軸線Ａを有し、そして実質的に、
・フランジ５と、
・軸線Ａに沿ってフランジ５から突出するネック６と、
・ネック６に螺着されたキャップ７とを備える。
【００３８】
特に、フランジ５の直径はネック６の直径よりも大きい。
【００３９】
事前形成された開封デバイス４は好ましくはポリエチレン製である。
【００４０】
孔２の直径はフランジ５の直径よりも小さく、ネック６の直径よりも大きい。
【００４１】
いったんユニット１によって取り付けられると、フランジ５（図９および図１０）はウェブ３の面３ａに接触し、ネック６は孔２を貫通し、そしてキャップ７はウェブ３の面３ａとは反対側の面３ｂ上に配置される。
【００４２】
・方向Ｘと直交し、ウェブ３の平面上に存在する方向Ｙ、そして
・ウェブ３の平面と直交する方向Ｚ
を規定することも可能である（図１ないし図９）。
【００４３】
方向Ｘ，Ｙは、図示の実施形態では水平である。
【００４４】
方向Ｚは、図示の実施形態では垂直である。
【００４５】
有利なことには、ユニット１は、
・方向Ｘと平行な経路Ｐに沿ってウェブ３を前進させるためのモーター１０と、
・複数の、図示の実施形態では三つの取り付けステーション１５（これには事前形成された開封デバイス４のそれぞれの列が供給され、かつ、ウェブ３の各孔２に事前形成された開封デバイス４を取り付ける）と
を含む（図１）。
【００４６】
より詳細には、モーター１０は、方向Ｘに沿ってウェブ３を段階的に前進させるように制御可能である。
【００４７】
さらに正確には、ウェブ３は、事前形成された開封デバイス４をそれぞれの孔２に取り付ける間に停止し、この取り付けの前後に前進する。
【００４８】
さらに、ステーション１５は、方向Ｘに沿って整列させられ、かつ、等間隔に配置される。
【００４９】
ステーション１５は、図示の実施形態では三つである。
【００５０】
ユニット１はまた、
・フレーム８と。
・事前形成された開封デバイスを収容するビン２０と、
・事前形成された開封デバイス４が供給され、各ステーション１５に供給される事前形成された開封デバイス４の複数の、図示の実施形態では三つの列（図３ないし図９）を形成する供給デバイス２５と、
・各ステーション１５に関連付けられ、それぞれの列２４から最下方の事前形成された開封デバイス４を次々に取り出し、ウェブ３のそれぞれの孔２内に最下方の事前形成された開封デバイス４を取り付ける複数の、図示の実施形態では三つの位置決めデバイス５０（図２ないし図９）と
を備える（図１）。
【００５１】
より詳細には、供給デバイス２５は、事前形成された開封デバイス４の前進方向に従って、そしてビン２０から進むにつれて、
・図示の実施形態では、事前形成された開封デバイス４をビン２０から取り出し、空気圧で作動させられるエレベータ２１と、
・ホッパー２２と、
・ホッパー２２によって事前形成された開封デバイス４が供給される上側シュート２６と
を具備する。
【００５２】
エレベータ２１、ホッパー２２および上側シュート２６は全てのステーション１５に共通である。
【００５３】
シュート２６は、ホッパー２２からスレッジ２８に向かって進みながら、
・ホッパー２２に関連した湾曲ストレッチ３１と、
・実質的に垂直なストレッチ３２と、
を含む（図１）。
【００５４】
さらに、供給デバイス２５は、各ステーション１５に関して、かつ、事前形成された開封デバイス４の前進方向に従ってシュート２６から進むにつれて、
・複数の、図示の実施形態では三つの下側シュート２７ａ，２７ｂ，２７ｃと
・各下側シュート２７ａ，２７ｂ，２７ｃに関連付けられた複数の、図示の実施形態では三つのシーケンシングデバイス２３と、
・各下側シュート２７ａ，２７ｂ，２７ｃおよびシーケンシングデバイス２３に関連付けられ、かつ、それぞれの列２４を形成すると共にそれぞれのステーション１５に供給する複数の、図示の実施形態では三つの要素２９と、
・それぞれの列２４の最下方の事前形成された開封デバイス４の、それぞれの位置決めデバイス５０への移送を容易にするためにの複数の、図示の実施形態では三つの排出デバイス３０と
を備える。
【００５５】
特に、事前形成された開封デバイス４は、重力作用下でホッパー２２から要素２９へと移動する。
【００５６】
各シュート２７ａ，２７ｂ，２７ｃは、スレッジ２８からそれぞれの要素２９に向かって進むにつれて、実質的に、
・実質的に垂直で、かつ、シュート２６と選択的に関連したストレッチ３５と、
・湾曲したストレッチ３６と、
・実質的に垂直なストレッチ３７と
を含む（図１）。
【００５７】
図１４を参照すると、シュート２６およびシュート２７ａ，２７ｂ，２７ｃのストレッチ３５，３６，３７は、
・その上へと事前形成された開封デバイス４のフランジ５がスライドする、互いに平行な一対のレール３９と、
・互いに平行でかつレール３９と対向し、その上へとキャップ７がスライドする一対のレール４０と
を含む。
【００５８】
レール３９，４０は互いに平行であり、方向Ｙに沿って離間されている。
【００５９】
シュート２６およびシュート２７ａ，２７ｂ，２７ｃのストレッチ３５，３６，３７は、レール３９，４０に対して直交方向に介在させられた複数の等間隔に配置されたフランジ３８をさらに含む。
【００６０】
各シーケンシングデバイス２３は、それぞれの下側シュート２７ａ，２７ｂ，２７ｃのストレッチ３７と、それぞれの要素２９との間に介在させられ、そして、それぞれの下側シュート２７ａ，２７ｂ，２７ｃに集められた事前形成された開封デバイス４を選択的に停止させるか、あるいは、それぞれの列２４を形成するために、事前形成された開封デバイス４が次々に、それぞれの要素２９内に重力の作用で落下することを可能とするよう構成される。
【００６１】
図示の実施形態では、各シーケンシングデバイス２３は、
・事前形成された開封デバイス４の落下を防止する第１のポジションと、
・一つの事前形成された開封デバイス４が、各要素２９の内にそれぞれの下側シュート２７ａ，２７ｂ，２７ｃから落下することを許容する第２のポジションと
の間で、方向Ｙと平行に動作可能である。
【００６２】
特に、各シーケンシングデバイス２３は、方向Ｙと平行な軸線を有するロールとして形成されている。
【００６３】
要素２９は方向Ｚと平行に延在し、方向Ｘに沿って互いに離間させられている。
【００６４】
列２４は、方向Ｚと平行に整列させられ、かつ、方向Ｘに沿って互いに離間されている。
【００６５】
列２４を形成するとき、事前形成された開封デバイス４は、位置決めデバイス５０の側にそれぞれフランジ５を、そして方向Ｙに沿って反対の側に、特にそれぞれの排出デバイス３０の側に、それぞれのキャップ７を有する。
【００６６】
各要素２９は、方向Ｚに平行に延びる通路４５を画定する。
【００６７】
事前形成された開封デバイス４は、方向Ｚに平行な移動を伴って、各要素２９の通路４５に入り、列２４を形成し、方向Ｙに平行にかつウェブ３およびステーション１５の一方側において通路４５を出る。
【００６８】
各要素２９の通路４５は、実質的に、
・方向Ｚと平行に開口し、事前形成された開封デバイス４の前進方向を基準として収束する入口４６と、
・主要部分４７と、
・方向Ｚに関して入口４６の反対側で閉じられ、かつ、方向Ｙに関して位置決めデバイス５０の側で開いている出口４８と
を備える（図２ないし図９）。
【００６９】
各通路４５の出口４８は、それぞれの排出デバイス３０および最下方の事前形成された開封デバイス４の軸線Ａと整列させられる。
【００７０】
各要素２９は、
・その上でキャップ７がスライドするプレート４３と、
・互いに平行にかつ方向Ｚと実質的に平行に延びる一対のアーム４４と
を備える。
【００７１】
プレート４３およびアーム４４は方向Ｙに沿って互いに対向している。アーム４４は方向Ｘに沿って互いに対向している。
【００７２】
排出デバイス３０は、要素２９のそれぞれの通路４５に関して位置決めデバイス５０の反対側に配置される。
【００７３】
各排出デバイス３０は、
・ユニット１のフレームに対して固定されたハウジング３３と、
・ハウジングから出て、ハウジング３３に対して方向Ｙに沿って移動可能であり、かつ、実質的に出口４８に対応してプレート４３を通過するステム３４と
を備える（図３ないし図９）。
【００７４】
ステム３４は、方向Ｙに沿って、
・それが通路４５に対して位置決めデバイス５０の反対側に配置された休止後退ポジション（図３、図５、図６、図７、図８、図９）と、
・それが列２４の最下方の事前形成された開封デバイス４のキャップ７と協働し、位置決めデバイス５０の側で通路４５の出口４８から離れるようにそれを排出する動作突出ポジション（図４）と
の間で往復動作できる。
【００７５】
スレッジ２８（図１および図１５）は、シュート２６と、シュート２７ａ，２７ｂ，２７ｃとの間に介在させられ、シュート２６をシュート２７ａ，２７ｂ，２７ｃの一つと選択的に接続する。
【００７６】
スレッジ２８は、平面（使用時には垂直）内にあって、かつ、方向Ｘに対して平行に移動可能なプレートを含む（図１５）。
【００７７】
スレッジ２８はまた、方向Ｘに直交して延び、かつ、それぞれ上端部４２および下端部４９を含む複数のチャネル４１ａ，４１ｂ，４１ｃを備える。
【００７８】
スレッジ２８は、図示の実施形態の空気圧システムによって、方向Ｘに沿った三つの異なるポジションに移動させられる。
【００７９】
供給デバイス２５はまた、方向Ｘに沿ってスレッジ２８のポジションを検出するための図示しないセンサを備える。
【００８０】
特に、スレッジ２８の各ポジションに関して、チャネル４１ａ（４１ｂ，４１ｃ）の端部４２はシュート２６に接続され、そして同じチャネル４１ａ（４１ｂ，４１ｃ）の端部４９はシュート２７ａ（２７ｂ，２７ｃ）に接続される。
【００８１】
図示の実施形態では、チャネル４１ｂは実質的に垂直であり、チャネル４１ａ，４１ｃは、それぞれの端部４２から対応する端部４９に向かって進むにつれて、チャネル４１ｂから開拡する。
【００８２】
以下の説明では、一つの取り付けステーション１５および一つの位置決めデバイス５０のみが説明され、全ての取り付けステーション１５および位置決めデバイス５０は互いに同一である。
【００８３】
位置決めデバイス５０は、
・方向Ｘと平行な軸線Ｆを中心としてユニット１のフレームにヒンジ結合されたハウジング５１と、
・軸線Ｅに沿ってハウジング５１に対してスライド可能なピストン５２と
を備える（図３ないし図９）。
【００８４】
軸線Ｅ，Ｆは、図示の実施形態では互いに直交している。
【００８５】
各位置決めデバイス５０のピストン５２は、ピストン５２の外側に配置された吸引端部５４を備える。
【００８６】
端部５４は、図示された実施形態では、カップ状であり、かつ、それぞれの出口４８において、それぞれの列２４の最下方の事前形成された開封デバイス４を真空作用によって把持するよう構成されている。
【００８７】
より詳細には、ハウジング５１は、
・軸線Ｅが方向Ｙと平行に延在する（図３、図４および図７ないし図９に示す）取り出しポジションと、
・軸線Ｅが方向Ｚに平行に延びかつウェブ３の面３ａの上に配置される（図５および図６に示す）位置決めポジションと
の間で、フレームに対して往復運動できる。
【００８８】
図示された実施形態では、ハウジング５１およびピストン５２の軸線Ｅは、位置決めポジションにおいては垂直であり、取り出しポジションにおいては水平である。
【００８９】
ピストン５２は、ハウジング５１に対して、その軸Ｅと平行に、
・端部５４がハウジング５１から最小距離にある（図４および図５に示す）後退ポジションと、
・端部５４がハウジング５１から最大距離にある（図６に示す）完全突出ポジションと、
・端部５４が最小距離と最大距離との間の中間距離にある（図３、図７、図８、図９に示す）部分的突出ポジションと
の間で動作し得る。
【００９０】
特に、ハウジング５１が取り出しポジションにあるとき、ピストン５２は、
・端部５４がそれぞれの列２４の最下方の事前形成された開封デバイス４のフランジ５と接触して吸引し、それに吸引作用を及ぼす部分的突出ポジション（図３）から、
・端部５４が、各要素２９のそれぞれの列２４から最下方の事前形成された開封デバイス４を取り出し、出口４８から一定の距離でそれを保持する後退ポジション（図４）へと動作させられる。
【００９１】
この段階で、ハウジング５１は９０度回転して位置決めポジション（図５）に到達し、ピストン５２は、
・端部５４および関連する事前形成された開封デバイス４がウェブ３から方向Ｚに沿って所定の距離に配置された後退ポジションから、
・事前形成された開封デバイス４がウェブ３の各孔２に挿入される完全突出ポジション（図６）へと
動作させられる。
【００９２】
取り出しポジションと位置決めポジションとの間のハウジング５１の動作と、後退ポジションと部分的突出ポジションと完全突出ポジションとの間のピストン５２の動作は、経路Ｐに沿ったウェブ３の動作と、そして各休止ポジションと動作ポジションとの間の排出デバイス３０の動作と同期させられる。
【００９３】
特に、ウェブ３が前進し、ハウジング５１が取り出しポジションにあり、ピストン５２が部分的突出ポジションにあるとき（図４）、排出デバイス３０は、端部５４が最下方の事前形成された開封デバイス４を吸引するのを容易にするように、休止ポジションから動作ポジションへと移動する。
【００９４】
さらに、ウェブ３が停止させられるとき、ハウジング５１は位置決めポジションにあり、ピストン５２は後退ポジションにある（図５）。
【００９５】
次に、ウェブ３が停止させられた状態で、ピストン５２が完全突出ポジションに移動し、事前形成された開封デバイス４を孔２内に挿入する（図６）。
【００９６】
事前形成された開封デバイス４が孔２に挿入されると、図７に示すように、ピストン５２は部分的突出ポジションへと戻り、そしてハウジング５１は取り出しポジションに戻る。
【００９７】
ユニット１は、
・ハウジング５１の往復運動を引き起こすためのアクチュエータ５５と、
・ハウジング５１に対するピストンのスライドを引き起こすためのアクチュエータ５６と
を備える。
【００９８】
図示の実施形態では、アクチュエータ５６は空気圧で作動させられる。
【００９９】
取り付けステーション１５は、
・フレーム８０と、
・ウェブ３の面３ｂに配置されたソノトロード８１と、
・ウェブ３の面３ａに配置されたアンビル８２と
を備える（図２）。
【０１００】
ソノトロード８１は、方向Ｚと平行な軸線Ｂに沿って、
・それがウェブ３の面３ｂから離間している（図３、図４、図５、図９に示す）休止ポジションと
・それがウェブ３に対して事前形成された開封デバイス４（これは孔２と係合する）を封着する（図８に示す）動作ポジションと
の間で往復運動する。
【０１０１】
アンビル８２は、方向Ｙに沿って、
・ピストン５２が部分的突出ポジションから完全突出ポジションへと移動するとき、位置決めデバイス５０のピストン５２のための通路７９をそれが空けたままとする（図３ないし図６に示す）休止ポジションと、
・ウェブ３に対する事前形成された開封デバイス４の封着の間、通路７９を塞ぐと共に、孔２内に挿入された事前形成された開封デバイス４のフランジ５に対向圧力を加える（図１、図２、図７ないし図９に示す）動作ポジションと
の間で往復運動できる。
【０１０２】
特に、ソノトロード８１およびアンビル８２は、事前形成された開封デバイス４をウェブ３に封着する間、それぞれの動作ポジションに同時に配置される。
【０１０３】
図示の実施形態では、アンビル８２はプレートとして形成されている。
【０１０４】
特に、アンビル８２は、
・方向Ｘに沿って延在し、かつ、方向Ｙに沿って互いに離間させられた一対の側面７２ａ，７２ｂと、
・方向Ｙに沿って延在し、かつ、方向Ｘに沿って互いに離間させられた一対の側面７３ａ，７３ｂと、
・方向Ｚに沿って互いに対向している上面および底面７４と
を備える（図２）。
【０１０５】
側面７３ａは、経路Ｐに沿ったウェブ３の進行方向に従って進むうちに側面７３ｂの下流に配置される。
【０１０６】
フレーム８０は、実質的に、
・方向Ｚと平行にかつ方向Ｘと直交するように延在する一対の壁８３と、
・方向Ｚと直交するように延在すると共に壁８３の間に収容される一対の上下クロスバー７６，７７と
を備える。
【０１０７】
上側クロスバー７６は、方向Ｘと平行な一対のロッド７０ａ，７０ｂと、方向Ｙと平行な一対のロッド７１ａ，７１ｂとを備える。
【０１０８】
ロッド７０ｂは、経路Ｐに沿ったウェブ３の前進方向を考慮して、ロッド７０ａの上流に配置される。
【０１０９】
側面７２ａはロッド７１ａの側に配置され、側面７２ｂはロッド７１ｂの側に配置される。
【０１１０】
通路７９は、ロッド７０ａ，７０ｂによって方向Ｘに沿って、かつ、アンビル８２の側面７２ａおよびロッド７１ａによって方向Ｙに沿って画定される。
【０１１１】
アンビル８２が動作ポジションにあるとき、側面７２ａはロッド７１ａと接触し、表面７４は孔２に挿入された事前形成された開封デバイス４のフランジ５と接触する。
【０１１２】
したがって、アンビル８２は、動作ポジションにあるとき、通路７９を塞ぐ。
【０１１３】
アンビル８２が休止ポジションにあるとき、側面７２ｂはロッド７１ｂに接触し、側面７２ａはＹ方向に沿ってロッド７１ａから離間させられる。
【０１１４】
したがって、アンビル８２は、後退ポジションから完全突出ポジションへと移動するとき、それを位置決めデバイス５０のピストン５２が通過することができる自由通路７９を残す。
【０１１５】
さらに、アンビル８２の表面７４は、休止ポジションにあるとき、ウェブ３から方向Ｚに沿って離間させられる。
【０１１６】
クロスバー７７は、方向Ｚと平行で、拘束されたウェブ３の孔２と、そして通路７９と方向Ｚに関して整列させられた開口７５を画定する。
【０１１７】
ソノトロード８１は、
・本体８４と、
・方向Ｚに関して本体８４と対向し、かつ、方向Ｚと平行な軸線Ｂを中心として延在するヘッド８６と、
・ヘッド８６と本体８４との間に挿入され、下部クロスバー７６の開口７５と係合する接続部８７と
を備える（図１０および図１１）。
【０１１８】
図１０および図１１を参照すると、ヘッド８６は、本体８４の反対側でかつウェブ３の面３ｂに向かって、シーリング面８９および開口８８を画定する。
【０１１９】
さらに、ヘッド８６は、表面８９によって面３ｂに向かって軸方向に境界付けられたキャビティ９０を画定する。
【０１２０】
キャビティ９０は、事前形成された開封デバイス４がキャビティ９０内に挿入されたときに軸線Ａと一致する軸線Ｂを中心として延在する。
【０１２１】
ヘッド８６は、周知の解決策に従って、駆動ユニット（図示せず）に接続される。
【０１２２】
駆動ユニットは、交互に重なる圧電セラミックプレートおよび導電性金属シートのスタックによって形成され、交流電流発生器に結合される。このようにして、圧電セラミックプレートは、交流電流発生器によって供給される電力を機械的な歪みに変換し、これは、ヘッド８６の振動を、したがってウェブ３へのフランジ５の封着を引き起こす。
【０１２３】
キャビティ９０は、事前形成された開封デバイス４が位置決めデバイス５０によって孔２に挿入されたとき、それを受け取る。
【０１２４】
特に、キャビティ９０は、軸線Ｂに関して環状に壁９２によって、かつ、軸線Ｂに関して軸方向に開口８８によって画定される。
【０１２５】
ヘッド８６は、壁９２に取り付けられかつキャビティ９０内に突出するリング９１をさらに備える。
【０１２６】
リング９１は、当該リング９１が変形していないとき、開口８８からウェブ３の面３ｂの反対側に向かって先細になる壁９５によって、軸線Ｂの側で半径方向に境界付けられる。
【０１２７】
特に、壁９２は、開口８８からウェブ３の面３ｂの反対側に向かって進むにつれて、軸線Ｂに向かって収束する。
【０１２８】
リング９１は、事前形成された開封デバイス４のキャップ７と協働し、そしてヘッド８６に対して事前形成された開封デバイス４を心合わするよう構成される。
【０１２９】
リング９１が変形させられるとき（図１０および１１参照）、壁９５は、開口８８からウェブ３の面３ｂの反対側に向かって、
・軸線Ｂに対して第１の角度だけ傾斜した部分９３と、
・軸線Ｂに対して第１の角度よりも小さな第２の角度だけ傾斜した部分９４と
を画定する。
【０１３０】
表面８９は環状突起９６を備えるが（図１２および図１３）、これは、キャビティ９０の反対側の軸方向側において延在し、孔２を取り囲む領域においてウェブ３の面３ｂに圧力を加えるよう構成される。
【０１３１】
より詳細には、突起９６は、開口８８の側および開口８８の反対側においてそれぞれ延在する二つの鋭角に接合された壁９７，９８によって境界が定められる。
【０１３２】
リング９１は、図示の実施形態では、エラストマー材料、好ましくは熱硬化性材料で作られる。
【０１３３】
さらにより好ましくは、リング９１は、セルラスト（cellasto）として商業的に知られている気泡ポリウレタンエラストマーからなる。
【０１３４】
このようにして、リング９１は、超音波振動をキャップ７に伝達することなく、ソノトロード８１の開口８８の軸線Ｂに対して事前形成された開封デバイス４の事前形成された軸線Ａを心合わせするのに有効である。
【０１３５】
ステーション１５はさらに、
・休止ポジションと動作ポジションとの間で方向Ｙに沿ったアンビル８２の動作を引き起こすよう構成されたモーター１０２と、
・方向Ｙと平行に延び、モーター１０２およびアンビル８２に接続された反対側軸方向端部を有し、モーター１０２の作動時に方向Ｙに沿って往復運動するピストン１０３と
を備える。
【０１３６】
ピストン１０３はクロスバー７６のロッド７１ｂを通過する。
【０１３７】
アンビル８２はロッド７０ａ，７０ｂ上をスライドする。
【０１３８】
ウェブ３、位置決めデバイス５０、ソノトロード８１およびアンビル８２の動作は同期させられる。
【０１３９】
特に、ウェブ３が前進するとき、ソノトロード８１およびアンビル８２は両方とも、それぞれの休止ポジションに配置される（図３ないし図６）。
【０１４０】
したがって、位置決めデバイス５０が位置決めポジションに配置されると、ピストン５２は、後退ポジションから完全突出ポジションまで移動し、通路７９を通過する。
【０１４１】
この時点で、ウェブ３は停止し、ピストン５２はしたがってウェブ３の孔２内に開封デバイス４を挿入することができる。
【０１４２】
ピストン５２が孔２内に事前形成された開封デバイス４を挿入し、部分的突出ポジションに戻った後、ソノトロード８１およびアンビル８２はそれぞれの休止ポジションからそれぞれの動作ポジションへと移動する。
【０１４３】
ソノトロード８１が動作ポジションに配置されると（図８、図１０および図１１）、表面８９はウェブ３の面３ｂに当接し、キャップ７はキャビティ９０の内部に収容される。
【０１４４】
ソノトロード８１が休止ポジションから動作ポジションへと移動するとき、それは、事前形成された開封デバイス４およびウェブ３をアンビル８２に向けて僅かに押し込む。このステップの間、事前形成された開封デバイス４は、図７に示すようにキャビティ９０の外側に留まる。
【０１４５】
ソノトロード８１およびアンビル８２の両方が動作ポジションにあるとき、ヘッド８６が作動させられ、事前形成された開封デバイス４はウェブ３に封着される。
【０１４６】
事前形成された開封デバイス４がウェブ３に封着された後、ウェブ３は再び前進する。
【０１４７】
代替的に、ステーション１５は、それぞれのソノトロード８１およびアンビル８２の代わりに、それぞれの誘導加熱デバイスを備えることができる。
【０１４８】
使用時、モーター１０は、経路Ｐに沿ってかつ方向Ｘと平行に、孔２を有するウェブ３を段階的に前進させ、拘束する。
【０１４９】
ユニット１の動作について、以下、ただ一つの事前形成された開封デバイス４、対応するただ一の要素２９、ただ一つの位置決めデバイス５０、そしてただ一つのステーション１５を参照して説明する。
【０１５０】
より詳細には、エレベータ２１は事前形成された開封デバイス４をビン２０から吸引し、そして開封デバイスをホッパー２２へと移送する。
【０１５１】
事前形成された開封デバイス４は、次いで、シュート２６に沿って重力作用で、そして方向Ｘに沿ったスレッジ２８のポジションに依存して、一つのシュート２７ａ，２７ｂ，２７ｃ上に移動する。
【０１５２】
事前形成された開封デバイス４は、シーケンシングデバイス２３によって関連するシュート２７ａ，２７ｂ，２７ｃのストレッチ３７内で拘束され、その後、列２４を形成するために、重力作用で、要素２９内で落下することが許容される。
【０１５３】
特に、事前形成された開封デバイス４が通路４５内に落下するとき、軸Ａは方向Ｙと平行である。
【０１５４】
事前形成された開封デバイス４が列２４の最下部であるとき、それは通路４５の出口４８に配置される。
【０１５５】
列２４の最下方の開封デバイス４のフランジ５は位置決めデバイス５０に面し、方向Ｙに沿って進むとき、排出デバイス３０の反対側に存在する。
【０１５６】
列２４の最下方の開封デバイス４のキャップ７は排出デバイス３０のステム３４に面し、方向Ｙに沿って進むとき、位置決めデバイス５０の反対側に存在する。
【０１５７】
以下、デバイス１の動作について、排出デバイス３０のステム３４が休止ポジションにあり、ハウジング５１が取り出しポジション（すなわち水平）であり、そしてピストン５２が部分的突出ポジションにある（図３に示す）状態から説明する。
【０１５８】
さらに、この状態では、ソノトロード８１およびアンビル８２は、それらがウェブ３のそれぞれの面３ａおよび３ｂから離間し、アンビル８２が自由通路７９を離れる、それぞれの休止ポジションにある。
【０１５９】
特に、モーター１０は経路Ｐに沿ってウェブ３を前進させる。
【０１６０】
端部５４は、事前形成された開封デバイス４のフランジ５と接触し、フランジ５に吸引作用を及ぼす。
【０１６１】
この段階では、図４に示すように、排出デバイス３０のステム３４は動作突出ポジションから移動し、そしてピストン５２は後退ポジションに移動するが、当該ポジションでは、端部５４と吸引された事前形成された開封デバイス４が方向Ｙに沿って出口４８から離間させられる。
【０１６２】
このようにして、排出デバイス３０は、位置決めデバイス５０の端部５４が、事前形成された開封デバイス４を取り出すのを容易にする。
【０１６３】
位置決めデバイス５０のハウジング５１は、取り出しポジションから、ハウジング５１およびピストン５２が通路７９およびソノトロード８１と整列させられる位置決めポジションまで軸線Ｆを中心として回転させられる（図５）。ピストン５２は、部分的突出ポジションに留まり、端部５４は、真空作用によって、事前形成された開封デバイス４のフランジ５を把持する。
【０１６４】
続いて、モーター１０は、孔２が、方向Ｚと平行に、ソノトロード８１の軸線Ｂ、ピストン５２の軸線Ｆ、およびピストン５２の端部５４によって把持された事前形成された開封デバイス４の軸線Ａと整列させられたポジションでウェブ３を停止させる。
【０１６５】
この段階（図６）において、アクチュエータ５６は、後退ポジションから完全突出ポジションまで、方向Ｚと平行な軸線Ｅに沿ってピストン５２を移動させる。
【０１６６】
その結果、ピストン５２は、事前形成された開封デバイス４と一緒に通路７９を通過し、そして事前形成された開封デバイス４を孔２内に挿入する。
【０１６７】
その後、図７に示すように、ピストン５２は部分的に突き出したポジションに戻り、そしてハウジング５１は、それが取り出しポジションに戻るときまで、軸線Ｆを中心として回転する。したがって、位置決めデバイス５０は再び方向Ｙと平行であり、かつ、端部５４は、いまや、列２４の新しい最下方の事前形成された開封デバイス４のフランジ５と接触状態である。
【０１６８】
さらに、モーター１０２は、休止ポジションから動作ポジションへと方向Ｙに沿ってアンビル８２を移動させる。
【０１６９】
動作ポジションでは、アンビル８２が通路７９を塞ぎ、開封デバイスのフランジ５と協働する。
【０１７０】
同時に、ソノトロード８１は静止ポジションから動作ポジションへと移動している。
【０１７１】
ソノトロード８１の移動の結果として、封着面８９は事前形成された開封デバイス４のキャップ７と接触する。
【０１７２】
ソノトロード８１が動作ポジションに向かってさらに移動すると、事前形成された開封デバイス４およびウェブ３は、アンビル８２に向かってかつ方向Ｚと平行に上方に押し込まれる。
【０１７３】
この結果、事前形成された開封デバイス４のネック６およびキャップ７はキャビティ９０に入り、キャップ７がリング９１の壁９２と協働し、封着面８９がウェブ３の面３ｂと接触する。
【０１７４】
さらに正確には、キャップ７は、ソノトロード８１のヘッド８６の軸線Ｂに対して異なる角度で傾斜した部分９３，９４（図１３および図１４）を形成するようにリング９１の壁９２を変形させる。
【０１７５】
このようにして、リング９１は、事前形成された開封デバイス４の軸線Ａをヘッド８６の軸線Ｂと効果的に心合わせする。
【０１７６】
この段階で、ソノトロード８１が作動させられ、そして事前形成された開封デバイス４を孔２においてウェブ３に封着するためにヘッド８６が振動する。
【０１７７】
封着が完了すると、図９に示すようにソノトロード８１およびアンビル８２はそれぞれの休止ポジションに戻る。
【０１７８】
モーター１０は、ステーション１５の下に新しい孔２を配置するように再びウェブ３を前進させ、そしてユニット１のサイクルは図２の形態のように繰り返される。
【０１７９】
ユニット１および本発明による方法の利点は上記の説明から明らかであろう。
【０１８０】
特に、ステーション１５は、事前形成された開封デバイス４をそれぞれの孔２においてウェブ３に封着する。
【０１８１】
このようにして、ステーション１５は、本明細書の導入部に記載された公知の解決法とは異なり、ウェブ３上にそれらを封着するとき、事前形成された開封デバイス４を形成しない。
【０１８２】
この結果、事前形成された開封デバイス４をウェブ３に封着するのに必要な時間は、もはや、事前形成された開封デバイス４を形成するために、例えば射出成形によって事前形成された開封デバイス４の場合には成形材料を凝固させるために必要な時間に依存しない。
【０１８３】
したがって、ウェブ３への事前形成された開封デバイス４の取り付け速度は公知の解決策に対して増加する。
【０１８４】
ソノトロード８１の突起９６は、事前形成された開封デバイス４の溶融ポリエチレンをウェブ３の孔２内に押し込むのに有効である。したがって、溶融したポリエチレンは、孔２の形成の結果として露出させられたウェブ３の紙材料を覆う。
【０１８５】
このようにして、ウェブ３が水温８０℃以上の過酸化水素水溶液のバス内に前進させられるとき、孔２の紙材料が溶融ポリエチレンによって保護され、水が紙材料に浸透するリスクが劇的に低減される。
【０１８６】
さらに、エラストマー材料で作られたリング９１は、超音波振動をキャップ７に伝達することなく、したがって事前形成された開封デバイス４のウェブに対する封着に影響を与えることなく、それぞれのソノトロード８１のキャビティ９０の内側で事前形成された開封デバイス４を心合わせするのに有効である。
【０１８７】
リング９１は円錐状であり、ウェブ３の反対側で先細になっている。
【０１８８】
このようにして、リング９１と関連するキャップ７との間の接触面積は特に小さい。
【０１８９】
最後に、位置決めデバイス５０は、要素２９の出口４８から事前形成された開封デバイス４を取り出すために、そして事前形成された開封デバイス４をウェブ３の各孔２の内に挿入するために使用される。
【０１９０】
明らかに、ユニット１および上記方法には、特許請求の範囲において規定された保護範囲から逸脱することなく変更を加えることができる。
【０１９１】
特に、ステーション１５は、それぞれのソノトロード８１およびアンビル８２の代わりに、それぞれの誘導加熱デバイスを備えることができる。
【０１９２】
さらに、ソノトロード８０は、パッケーがさらなるシーリングによって閉じられる前に開放パッケージに開封デバイスをシールするために使用することができる。
【符号の説明】
【０１９３】
１  ユニット
２  孔
３  ウェブ
３ａ，３ｂ  面
４  開封デバイス
５  フランジ
６  ネック
７  キャップ
８  フレーム
１０  前進手段（モーター）
１５  誘導加熱手段
２０  ビン
２１  エレベータ
２２  ホッパー
２３  シーケンシングデバイス
２４  列
２５  供給デバイス
２６，２７ａ，２７ｂ，２７ｃ  シュート
２８  スレッジ
２９  要素
３０  排出デバイス
３１  湾曲ストレッチ
３２  ストレッチ
３３  ハウジング
３４  ステム
３５〜３７  ストレッチ
３８  フランジ
３９，４０  レール
４１ａ〜４１ｃ  チャネル
４２  上端部
４３  プレート
４４  アーム
４５  通路
４６  入口
４７  主要部分
４８  出口
４９  下端部
５０  排出デバイス
５１  ハウジング
５２  把持デバイス
５４  吸引端部
５５，５６  アクチュエータ
７０ａ，７０ｂ，７１ａ，７１ｂ  ロッド
７２ａ，７２ｂ，７３ａ，７３ｂ  側面
７４  底面
７５  開口
７６，７７  クロスバー
７９  自由通路
８０  フレーム
８１  ソノトロード
８２  アンビル
８３  壁
８４  本体
８６  ヘッド
８７  接続部
８８  開口
８９  表面
９０  キャビティ
９１  リング
９２  壁
９３，９４  傾斜した部分
９５  壁
９６  環状突起
９７，９８  壁
１０２  モーター
１０３  ピストン
【図１】
0006710681.tif 000002
【図２】
0006710681.tif 000003
【図３】
0006710681.tif 000004
【図４】
0006710681.tif 000005
【図５】
0006710681.tif 000006
【図６】
0006710681.tif 000007
【図７】
0006710681.tif 000008
【図８】
0006710681.tif 000009
【図９】
0006710681.tif 000010
【図１０】
0006710681.tif 000011
【図１１】
0006710681.tif 000012
【図１２】
0006710681.tif 000013
【図１３】
0006710681.tif 000014
【図１４】
0006710681.tif 000015
【図１５】
0006710681.tif 000016